(57)【要約】【課題】  アナログ表示とともにデジタル表示を行う腕時計において、アナログ表示とデジタル表示のずれをなくして商品価値を高める。【解決手段】  アナログとデジタルの双方の時刻表示を行う腕時計において、アナログの運針パルスタイミングとデジタルの表示パルスタイミングを同期制御する制御回路を備える。そして、制御回路により、アナログの運針パルスタイミングとデジタルの表示パルスタイミングを同期するように制御する。アナログの時刻修正時には、アナログの運針開始に同期してカウントアップし、アナログの運針パルスタイミングにデジタルの表示パルスタイミングを合わせたり、デジタル表示を３０秒振り分けして帰零したりする。また、デジタルの時刻修正時には、アナログの運針パルスタイミングに同期してカウントアップし、デジタルの表示パルスタイミングを合わせる。【選択図】      図４
2006266997.tif 000002
【特許請求の範囲】
【請求項１】
アナログとデジタルの双方の時刻表示を行う腕時計において、
アナログの運針パルスタイミングとデジタルの表示パルスタイミングを同期制御する制御回路を備えることを特徴とする腕時計。
【請求項２】
アナログの時刻修正時、アナログの運針開始に同期してアナログの運針パルスタイミングにデジタルの表示パルスタイミングを合わせることを特徴とする、請求項１に記載の腕時計。
【請求項３】
アナログの時刻修正時、デジタル表示を３０秒振り分けして帰零することを特徴とする、請求項１または２に記載の腕時計。
【請求項４】
デジタルの時刻修正時、アナログの運針パルスタイミングに同期してデジタルの表示パルスタイミングを合わせることを特徴とする、請求項１ないし３のいずれか１に記載の腕時計。
【発明の詳細な説明】
【技術分野】
【０００１】
この発明は、時刻を、針を用いてアナログ表示とともに、数字を用いてデジタル表示する腕時計に関する。
【背景技術】
【０００２】
従来、アナログ表示とともにデジタル表示を行う腕時計では、例えば特許文献１に記載されるとおり、内部発振回路の出力端の発振周波数をアナログ時計のＩＣ内部の発振回路と分周回路と変換回路とを介してモータ駆動パルス信号に変換し、ステップモータを駆動することにより運針して時刻をアナログ表示する一方、内部発振回路の出力端の発振周波数をＬＥＤ時計のＩＣ内部の分周回路と変換回路とにより計数出力を得、デコーダを通じて入力してＬＥＤディスプレイで時刻をデジタル表示していた。
【０００３】
【特許文献１】特開平８-１２２４６８号公報
【発明の開示】
【発明が解決しようとする課題】
【０００４】
ところが、アナログ表示とデジタル表示とは、それぞれ別々のパルスタイミングで駆動することから、ずれを生じて見てくれがよくなかった。
【０００５】
そこで、この発明の目的は、アナログ表示とともにデジタル表示を行う腕時計において、アナログ表示とデジタル表示のずれをなくして商品価値を高めることにある。
【課題を解決するための手段】
【０００６】
かかる目的を達成すべく、この発明は、アナログとデジタルの双方の時刻表示を行う腕時計において、
アナログの運針パルスタイミングとデジタルの表示パルスタイミングを同期制御する制御回路を備える、ことを特徴とする。
【０００７】
そして、アナログとデジタルの双方の時刻表示を行う腕時計において、制御回路により、アナログの運針パルスタイミングとデジタルの表示パルスタイミングを同期するように制御する。
【０００８】
例えば、アナログの時刻修正時には、アナログの運針開始に同期してアナログの運針パルスタイミングにデジタルの表示パルスタイミングを合わせたり、デジタル表示を３０秒振り分けして帰零したりする。また、デジタルの時刻修正時には、アナログの運針パルスタイミングに同期してデジタルの表示パルスタイミングを合わせる。
【発明の効果】
【０００９】
この発明によれば、アナログとデジタルの双方の時刻表示を行う腕時計において、制御回路により、アナログの運針パルスタイミングとデジタルの表示パルスタイミングを同期するように制御するので、アナログ表示とデジタル表示のずれをなくして商品価値を高めることができる。デジタル表示を３０秒振り分けにより帰零すれば、秒修正を行う手間をなくすことができる。
【発明を実施するための最良の形態】
【００１０】
以下、図面を参照しつつ、この発明の実施の最良形態につき説明する。
図１には、デジタル表示を行うことができるアナログ腕時計を示す。
【００１１】
図示腕時計は、腕時計ケース１０の表側に風防ガラス１１を固着し、裏側に裏ブタ１２をねじ付けて取り付ける。裏ブタ１２は、非磁性材である、プラスチックや、強磁性体でない金属などを用いてつくる。
【００１２】
腕時計ケース１０内には、アナログムーブメント１３を樹脂製の中枠１４で固定して収納する。ムーブメント１３には、中心に時針、分針、秒針用の運針軸１５を同心にて立てて設ける。そして、ムーブメント１３には、円盤状の回路基板１６を重ね合わせる。回路基板１６には、例えば縦が1.6mm、横が0.8mmで、厚さ0.5mm以下の薄型チップＬＥＤ（デジタル表示用ＬＥＤ）１７を複数取り付ける。
【００１３】
そして、図２に示すように、７つのＬＥＤ１７を用いて１つの７セグメント１８を構成し、数字の８の字を形成するその７セグメント１８を平面的に４つ並べる。回路基板１６には、中心に中心孔ａをあけ、その中心孔ａを挟んで上下に１つずつ設けたＬＥＤ１７を用いてコロン１９を構成し、そのコロン１９を挟んで左右に７セグメント１８を２つずつ振り分けて配置する。
【００１４】
図１に示すように、回路基板１６は、それより多少厚い遮光板２２に重ねて取り付け、その遮光板２２で支持する。遮光板２２には、図３に示すように、表裏を貫通して複数の光透過孔２３を開ける。光透過孔２３は、回路基板１６の各薄型チップＬＥＤ１７に対向して開け、各光透過孔２３ごとにそれぞれ前記ＬＥＤ１７を各１つずつ対応して設け、遮光板２２の裏側に回路基板１６を取り付けたとき薄型チップＬＥＤ１７を挿入する。そして、遮光板２２に回路基板１６を重ね合わせても、厚さ1.5mm以下となるように構成する。
【００１５】
図１に示すように、遮光板２２には、表面に、時刻数字や時字等の時刻表示を有する文字板２４を重ね合わせる。文字板２４は、例えば、プラスチックやガラス等よりなる透明材料の表面に印刷等によりインクを付着して形成したり、プラスチックやガラス等よりなる色付きの半透明材料を用いて形成したりし、デジタル表示用ＬＥＤ１７を点灯したときのみＬＥＤ１７のデジタル表示を文字板２４を透して視認し得る光透過率で形成する。好ましくは、その光透過率を３０〜７０％とする。そして、文字板２４の周縁を腕時計ケース１０の見切り部に当てて、全体を腕時計ケース１０内に収納する。
【００１６】
このようにして、文字板２４の裏側に遮光板２２を備え、その遮光板２２の裏側に回路基板１６を配置し、回路基板１６の裏側にムーブメント１３を設ける。これにより、文字板２４の裏側に、回路基板１６上のデジタル表示用ＬＥＤ１７を配置する。
【００１７】
なお、運針軸１５は、回路基板１６の中心孔ａから遮光板２２の中心孔（図３において符号ｂで示す）を通して文字板２４の中心孔（図１において符号ｃで示す）まで貫通して先端を文字板２４の表側に露出する。そして、先端に、時針２５、分針２６、秒針２７を取り付ける。
【００１８】
そのようなムーブメント１３の裏ブタ１２側には、充電回路を設け、コイン型の二次電池３０をムーブメント１３と重ねて配置するとともに、その二次電池３０の周囲を囲むようにコイルボビン３１に環状に巻き付けて二次コイル３２を取り付ける。つまり、図示例では、二次電池３０と二次コイル３２とを、腕時計ケース１０内において同一平面に配置する。
【００１９】
また、腕時計ケース１０内において、回路基板１６の裏側には、ムーブメント１３と同一平面に、ＬＥＤ１７を駆動するＬＥＤ駆動回路３３を取り付ける。
【００２０】
他方、図示腕時計は、外端にリューズ３５を取り付ける巻真３６を、腕時計ケース１０を貫通して挿入してムーブメント１３内に入れる。また、図示省略するが、外端にスイッチを取り付ける操作軸を、同様に腕時計ケース１０を貫通して挿入してムーブメント１３内に入れる。
【００２１】
そして、図示アナログ腕時計では、通常時は、デジタル表示用ＬＥＤ１７を点灯せず、二次電池３０でムーブメント１３を駆動して針２５〜２７を回転し、文字板２４の時刻表示を指して時刻をアナログ表示する。必要に応じ、適宜外部操作により、ＬＥＤ１７を点灯してそのＬＥＤ１７の光を遮光板２２の光透過孔２３で導光して文字板２４を透し、時刻、月日、曜日等をデジタル表示する。
【００２２】
図４には、時刻修正の説明ブロック図を示す。
図５には、アナログ時刻修正時のタイミングチャートに示す。
【００２３】
図示するとおり、アナログ時刻修正時にリューズ３５を引出し操作すると、巻真３６を介して作動し、アナログパルスをリセットする。それから、リューズ３５を回動操作して巻真３６を介して針２５〜２７を回して所望の時刻に合わす。その後、時報等に合わせるなど、適宜のタイミングでリューズ３５を押込み操作し、クロックパルスを発生してアナログを駆動し、リューズ３５の押込み操作とともにアナログ運針を開始する。
【００２４】
また、リューズ３５を押込み操作したとき発生するクロックパルスをデジタルカウンタにも入力し、アナログの運針開始に同期してカウントアップし、デジタルを駆動してアナログの運針パルスタイミングにデジタルの表示パルスタイミングを合わせる。
【００２５】
図６には、デジタル時刻修正時のタイミングチャートに示す。
デジタル時刻修正時に不図示のスイッチを操作すると、スイッチ操作に関係なくアナログ運針を継続する一方、スイッチの解除操作とともに、アナログ運針に同期してカウントアップし、デジタルを駆動してアナログの運針パルスタイミングにデジタルの表示パルスタイミングを合わせる。
【００２６】
これにより、図示例では、アナログとデジタルの双方の時刻表示を行う腕時計において、制御回路により、アナログの運針パルスタイミングとデジタルの表示パルスタイミングを同期するように制御するので、アナログ表示とデジタル表示のずれをなくして商品価値を高めることができる。特に図示例では、アナログ主導で、アナログとデジタルの時刻表示を行う腕時計において、付加機能のデジタルの時刻修正時に、主導であるアナログの時刻修正が行われないようにすることができる。
【００２７】
図７には、アナログの時刻修正時にデジタル表示を３０秒振り分けする場合のブロック図を示す。
【００２８】
図示するように、リューズ３５を押込み操作したとき、巻真３６を介して作動し、アナログパルスをリセットするとともに、帰零回路を働かせてデジタルカウンタの秒単位が３０秒未満のときは、カウントダウンして帰零する一方、３０秒以上のときは、カウントアップして帰零する。そして、同様にリューズ３５を押込み操作したとき、アナログの運針開始に同期してカウントアップし、デジタルを駆動してアナログの運針パルスタイミングにデジタルの表示パルスタイミングを合わせる。デジタル表示を３０秒振り分けにより帰零すれば、秒修正を行う手間をなくすことができる。
【図面の簡単な説明】
【００２９】
【図１】デジタル表示を行うことができるこの発明に係るアナログ腕時計の概略縦断面図である。
【図２】その腕時計で用いる回路基板の平面図である。
【図３】その腕時計で用いる遮光板の平面図である。
【図４】時刻修正の説明ブロック図である。
【図５】アナログ時刻修正時のタイミングチャートである。
【図６】デジタル時刻修正時のタイミングチャートである。
【図７】アナログの時刻修正時にデジタル表示を３０秒振り分けする場合のブロック図である。
【符号の説明】
【００３０】
１６    回路基板
１７    薄型チップＬＥＤ（デジタル表示用ＬＥＤ）
２４    文字板
３３    ＬＥＤ駆動回路
３５    リューズ
３６    巻真
【図１】
2006266997.tif 000003
【図２】
2006266997.tif 000004
【図３】
2006266997.tif 000005
【図４】
2006266997.tif 000006
【図５】
2006266997.tif 000007
【図６】
2006266997.tif 000008
【図７】
2006266997.tif 000009